(57)【要約】噴霧可能な均質且つ高粘度の表面洗浄ゲルまたはゲルフォーム組成物、及び洗浄方法を提供する。本組成物は、液体キャリヤ約70％〜約99％、非イオン、アニオン、両性及び両性イオン界面活性剤から選択される界面活性剤、並びにその混合物約0.002％〜約10％、水溶性高分子増粘剤約0.005％〜約5％、及びpH平衡剤約0.001％〜約1.0％を含むことができる。この噴霧可能なゲルクリーナー組成物は、その中に懸濁した被包性粒子を全く含まず、完全に透明でありえ、標準温度及び標準圧力で約200センチポアズ〜約30,000センチポアズの粘度範囲を包含する。【選択図】なし
2014527558.tif 000002
【特許請求の範囲】
【請求項１】
液体キャリヤ約70％〜約99％；
非イオン、アニオン、両性及び両性イオン界面活性剤から選択される界面活性剤、並びにその混合物約0.002％〜約10％；
水溶性高分子増粘剤約0.005％〜約5％；及び
pH平衡剤約0.001％〜約1.0％
を含む、噴霧可能な、均質且つ高粘度表面洗浄ゲル組成物であって、
前記噴霧可能なゲルクリーナー組成物は、懸濁した被包性粒子を全く含まず、完全に透明であり、且つ室温及び室圧で約200センチポアズ〜約30,000センチポアズの粘度範囲を包含する、前記組成物。
【請求項２】
前記液体キャリヤが純水である、請求項１に記載の噴霧可能なゲルクリーナー組成物。
【請求項３】
前記液体キャリヤが水と低級アルキルアルコール類との混合物である、請求項１に記載の噴霧可能なゲルクリーナー組成物。
【請求項４】
水溶性着色剤約0.001％〜約0.1％を有する、請求項１に記載の噴霧可能なゲルクリーナー組成物。
【請求項５】
芳香剤約0.001％〜約0.5％を有する、請求項１に記載の噴霧可能なゲルクリーナー組成物。
【請求項６】
静電気防止剤約0.01％〜約5％を有する、請求項１に記載の噴霧可能なゲルクリーナー組成物。
【請求項７】
防曇剤約0.1％〜約10％を有する、請求項１に記載の噴霧可能なゲルクリーナー組成物。
【請求項８】
前記ゲルクリーナー組成物が、室温及び室圧で、約2,000cP〜約20,000cP、より好ましくは約5,600cP〜約10,000cPの粘度範囲を有する、請求項１に記載の噴霧可能なゲルクリーナー。
【請求項９】
請求項１に記載の実質的に均質な高粘度表面洗浄ゲル組成物を、ディスペンサーから疎水性表面上に適用パターンで適用する；
前記疎水性表面の少なくとも所望の部分に沿って前記組成物を分配パターンに分配する；及び
前記疎水性表面から、随伴した汚染物質と一緒に前記組成物を除去する；
各段階を含む、疎水性表面を洗浄する方法。
【請求項１０】
前記組成物を斜め方向に設定された疎水性表面上に適用または分配する、ここで前記組成物は、丁重には(respectfully)室温及び室圧で、適用パターンまたは分配パターンに粘着し且つとどまる、請求項９に記載の疎水性表面を洗浄する方法。
【請求項１１】
前記組成物がある距離を滴り、滴がつく、または流れ落ちるのに、低粘度液体組成物が疎水性表面上の同一距離を流れ落ちるのにかかる速度よりも少なくとも二十(20)倍遅い速度であるように、前記組成物が疎水性表面上に粘着し、且つとどまる、請求項１０に記載の疎水性表面を洗浄する方法。
【請求項１２】
前記疎水性表面が、めがね、サンレンズ及びスポーツレンズ、安全レンズ、カメラ用レンズ、顕微鏡レンズ、望遠鏡レンズを含む光学レンズまたは、タッチスクリーン、デジタルディスプレイ、コンピューターモニター、テレビスクリーン、タブレットディスプレイ若しくは電話ディスプレイなどの電子機器表面を含む、請求項９に記載の疎水性表面を洗浄する方法。
【請求項１３】
疎水性表面を洗浄する方法であって、
実質的に均質な高粘度表面洗浄ゲルフォーム組成物を、前記組成物がフォーム(泡)として適用パターンに配置されるように、エアゾールまたはノンエアゾールフォーム・ポンプディスペンサーから疎水性表面に適用する、
ここで前記組成物は、
液体キャリヤ約70％〜約99％、
非イオン、アニオン、両性及び両性イオン界面活性剤から選択される界面活性剤、並びにその混合物約0.002％〜約10％、
水溶性高分子増粘剤約0.005％〜約5％、及び
pH平衡剤約0.001％〜約1.0％、
を含み、
ここで前記組成物は懸濁した被包性粒子を全く含まず、完全に透明である；
前記疎水性表面の少なくとも所望の部分に沿って前記組成物を分配パターンに分配する；及び
前記疎水性表面から、すべての随伴した汚染物質と一緒に前記組成物を除去する；
各段階を含む、上記方法。
【請求項１４】
前記組成物を斜め方向に設定された疎水性表面上に適用または分配する、ここで前記組成物は、丁重には室温及び室圧で、適用パターンまたは分配パターンで粘着し且つとどまる、請求項１３に記載の疎水性表面を洗浄する方法。
【請求項１５】
低粘度液体組成物が同一距離を滴る、滴がつく、または流れ落ちるのにかかる速度より20秒〜180秒遅く、前記組成物がその距離に滴る、滴がつく及び流れ落ちるように、前記組成物が前記疎水性表面上に粘着し、且つとどまる、請求項１４に記載の疎水性表面を洗浄する方法。
【請求項１６】
前記ディスペンサーは、トリガー型若しくは圧力作動型などのスプレーボトル、エアゾール若しくはノンエアゾール型などのフォームポンプ、押し潰し可能なチューブまたはフレキシブルパウチである、請求項１３に記載の疎水性表面を洗浄する方法。
【請求項１７】
前記組成物は、室温及び室圧で約200cP〜約30,000cPの粘度範囲を包含する、請求項１３に記載の疎水性表面を洗浄する方法。
【請求項１８】
前記組成物は、室温及び室圧で約4,000cP〜約15,000cPの粘度範囲を包含する、請求項１７に記載の疎水性表面を洗浄する方法。
【請求項１９】
前記組成物を、リントフリーの軟らかいティッシュ、柔らかい布若しくはマイクロファイバー布などの柔軟な、傷防止(non-scratch)材料で前記疎水性表面の少なくとも一部分に沿って、分配パターンで分配する、請求項１３に記載の疎水性表面を洗浄する方法。
【請求項２０】
前記組成物を、柔軟な、傷防止材料で前記疎水性表面から除去する、請求項１３に記載の疎水性表面を洗浄する方法。
【請求項２１】
前記疎水性表面が、めがね、サンレンズ及びスポーツレンズ、安全レンズ、カメラ用レンズ、双眼鏡レンズ、顕微鏡レンズ、望遠鏡レンズを含む光学レンズまたは、タッチスクリーン、デジタルディスプレイ、コンピューターモニター、テレビスクリーン、タブレットディスプレイ若しくは電話ディスプレイなどの電子機器表面を含む、請求項１３に記載の疎水性表面を洗浄する方法。
【発明の詳細な説明】
【技術分野】
【０００１】
[0001]本出願は、本明細書中、その全体が参照として含まれる、2011年8月1日出願の「SPRAYABLE GEL CLEANER FOR OPTICAL AND ELECTRONIC SURFACES」なる表題の米国仮出願シリアル番号第61/513,777号に優先権を主張する。
【背景技術】
【０００２】
[0002]本出願は、光学レンズ及び電子装置などの精巧で傷つきやすい疎水性/超疎水性(以後、「疎水性」という)表面を洗浄するための様々な粘度の噴霧可能なゲルまたはゲルフォームクリーナー組成物及び方法に関する。特に本発明は、完全に均質な噴霧可能なゲルまたはゲルフォームクリーナー組成物及び洗浄方法に関し、ここで前記ゲルは、光学レンズまたは電子機器表面(electronic surface)上に適用したときに、光学レンズまたは電子機器表面上に長時間粘着(cling)し且つとどまる(swell)。好ましくは、本発明の噴霧可能なゲルクリーナー組成物は、スプレーボトルディスペンサー、エアゾール若しくはノンエアゾール・フォームポンプ、押し潰し可能なチューブまたはフレキシブルパウチに詰められる。
【０００３】
[0003]ガラスクリーナー、万能クリーナー、浴室クリーナー及び研磨クリーナー、並びに光学レンズクリーナーなどの噴霧可能な低粘度及び水ベースの液体洗浄組成物は公知であり、多くの人に使用されている。通常、これらの市販の洗浄組成物は低粘度であるので、垂直窓、浴室の鏡、または水平天井などに適用すると、これらの表面にかけ過ぎて、滴ったり、流れ落ちたりする傾向がある。同様に、液体レンズクリーナーを使用する疎水性光学レンズ及び電子機器表面でも問題が見られる。これらの水または液体ベースのクリーナーは、アンモニア及びグリコールエステル溶媒を含み、通常、表面上に滴がつき(bead up)、粘着能力も滞留時間も全くなく、表面から表面周辺に容易に転がり落ちることがある。従って、洗浄すべき表面と液体クリーナーは殆ど接触しない。低粘度洗浄組成物が滴ったり、流れ落ちたりすることにより、洗浄が不十分となり、製品が無駄になるだけでなく、めがねのフレーム及び電子装置ハウジングなどの物品上の目標外の領域も濡らしてしまう。
【０００４】
[0004]図１に示すように、スプレーヘッドCから洗浄すべき表面D上へ液体Bを分配する、従来法による液体スプレーボトルディスペンサーAが示されている。図１は、光学レンズまたは電子装置などの表面と接触するにつれ、ユーザーがスプレーボトルディスペンサーAにより送達される液体Bの量を制御して減らしていたことを示す。クリーナーBは液体として表面Dに送達されるので、液体は表面から転がり落ちて、物品(例えばめがねのフレームE、カメラレンズハウジング、コンピュータースクリーンのフレーム、携帯電話ハウジングなど)の他の備品上を流れる。分配された液体は集まって、光学表面上にプールF及び水滴Gを形成するか、本、テーブル、机、床、布などの関連する物体Hの上にこぼれるかもしれない。過剰量のスプレーや無制御なスプレーにより、染みIをつけたり、ユーザーの呼吸器を刺激したりしかねない。
【０００５】
[0005]通常、めがね、サンレンズ(sun lens)及びスポーツレンズ、安全レンズ、カメラ用レンズ、望遠鏡レンズ、顕微鏡レンズを含む光学レンズ並びに、タッチスクリーン、デジタルディスプレイ、コンピューターモニター、タブレットディスプレイ及びTVスクリーンなどの電子機器表面は、プラスチック、ハードコートプラスチック、ポリカーボネートプラスチック、ハイインデックスプラスチック並びにガラスなどの疎水性表面でできている。これらの表面は、その上に疎水性コーティングと共に反射防止膜で覆われていることもある。これらの追加の膜及びコーティングは、反射並びに水ベースのクリーナーまたは液体で不必要に濡れるのを防ぎやすくし、表面から指紋汚れ及び他の汚染物質(contaminants)を全て洗浄し易くもできる。これらの表面がきっかけとなって、本出願人は過剰分を無駄にしたり、流れ落ちたりしないゲルまたはゲルフォームベースのクリーナーを開発することとなった。
【０００６】
[0006]近年、Farisらの米国特許第5,705,470号(特許文献１)及び同第5,977,050号(特許文献２)により、噴霧可能な洗浄ゲル組成物(sprayable cleaning gel)が報告された。Farisは、標準温度及び標準圧力で900センチポアズ(cP)〜約5,500cPの範囲の粘度をもつ実質的に均質で粒子を含まない噴霧可能な洗浄ゲル組成物を開示した。Farisは、組成物中に他の成分と一緒に組成物の必要部分として様々なグリコールエーテルと特定の分散剤との組成物を開示する。Farisは、ガラス、金属及び塗面などの洗浄すべき表面上での改善された粘着及び滞留時間を請求する。さらに、Farisは、ガラス及び金属などの非常に親水性表面を洗浄する間に、その洗浄組成物との改良された表面接触も請求する。特に、親水性表面は、水分を保持するように作用する親水性(water attracting)または保水(water retaining)表面である。Farisは反射防止疎水性レンズ面についても電子機器表面についても何も記載していない。またFarisは、最大10パーセントの大量の推奨水溶性高分子増粘剤を使用して、上端粘度が最大5,500cPの組成物を得ることができただけであった。高濃度の増粘剤は、疎水性光学及び電子機器表面でのゲルクリーナーの洗浄効率に影響を与えかねない。
【０００７】
[0007]別の噴霧可能な洗浄ゲル組成物は、Fliggerにより、米国特許出願番号第2007/0117736A1号(特許文献３)により報告されている。Fliggerは、組成物中にグリコールエーテル類も有する噴霧可能な高粘度チキソトロピー表面クリーナー組成物を開示する。Fliggerにより教えられた噴霧可能なチキソトロピークリーナーは、6,000cP〜25,000cPの範囲の粘度を有し、クリーナー中に被包性(encapsulated)懸濁不溶性及び研磨粒子を有している。この組成物は、ガラス及び金属などの硬質表面を洗浄することにより的を絞りこんでいる。さらにFliggerのチキソトロピーゲルクリーナーは、噴霧後に表面上で半固体になる。チキソトロピー半固体ゲルクリーナー中の固体粒子は、洗浄すべき精巧な疎水性光学レンズまたは電子機器表面を研磨し、損傷を与えかねない。従って、Fliggerにより開示されたゲルクリーナーは、精巧な表面を洗浄するのに使用すると、効果がなく不利だろう。
【０００８】
[0008]他の多くの様々な噴霧可能な洗浄ゲル組成物及び方法が様々な表面及び目的に関して市場で入手可能である。しかしながら、完全に均質で、室温及び室圧で広範囲な粘度を有し、懸濁した被包粒子もグリコールエーテル溶媒も含まず、且つゲルまたはゲルフォームとして制御された方法で噴霧または適用すると、疎水性光学レンズまたは電子装置表面上に長時間粘着し、且つとどまる、噴霧可能なゲルまたはゲルフォームクリーナー組成物及び洗浄方法に対する需要がいまだに存在する。表面に損傷を与えない改善された洗浄効率をもつ洗浄組成物に対する需要もある。
【先行技術文献】
【特許文献】
【０００９】
【特許文献１】米国特許第5,705,470号
【特許文献２】米国特許第5,977,050号
【特許文献３】米国特許出願番号第2007/0117736A1号
【発明の概要】
【００１０】
[0009]本開示の一つの側面において、噴霧可能な、均質且つ高粘度表面洗浄組成物を提供する。本組成物は、液体キャリヤ約70％〜約99％；非イオン、アニオン、両性及び両性イオン界面活性剤から選択される界面活性剤、並びにその混合物約0.002％〜約10％；水溶性高分子増粘剤約0.005％〜約5％；及びpH平衡剤(pH balancing agent)約0.001％〜約1.0％を含む。前記噴霧可能なゲルクリーナー組成物は、組成物中に懸濁した被包性粒子を全く含まず、完全に透明であり、且つ標準温度及び標準圧力で約200センチポアズ(cP)〜約30,000cPの粘度範囲を包含する。また、噴霧可能なゲルクリーナーは約７の中性pHを有する。
【００１１】
[0010]本開示の別の側面では、疎水性表面を洗浄する方法を提供する。本方法は、組成物が適用パターン(applied pattern)で配置されるように、実質的に均質の高粘度表面洗浄ゲルまたはゲルフォーム組成物をディスペンサーから疎水性表面上に適用する段階を包含する。本組成物は、液体キャリヤ約70％〜約99％と、非イオン、アニオン、両性及び両性イオン性界面活性剤の群から選択される界面活性剤、並びにその混合物約0.002％〜約10％を含む。本組成物はさらに、水溶性高分子増粘剤約0.005％〜約5％と、pH平衡剤約0.001〜約1.0％を包含する。本組成物は、懸濁した被包性粒子を全く含まず、透明であり、且つ約７の中性pHを有する。
【００１２】
[0011]本組成物は、柔軟な柔らかい布、ティッシュペーパーまたはマイクロファイバー布を使用して、分配パターンで疎水性表面の少なくとも所望の部分に沿って分配する。次いで疎水性表面が完全に清浄になるまで、柔軟な布またはマイクロファイバー布の乾いた部分で、表面上の全ての随伴した汚染物質と共に本組成物を疎水性表面から除去する。
【図面の簡単な説明】
【００１３】
[0012]図１は、一対のめがねレンズ上にスプレーとして液体クリーナーを分配する、従来技術のスプレーボトルディスペンサーの斜視図である。
[0013]図２は、一対のめがねレンズ上にゲルクリーナーを分配するスプレーボトルディスペンサー中のゲルクリーナー組成物の一態様の斜視図である。
【００１４】
[0014]図３は、めがねレンズ表面上にフォームとしてゲルフォームクリーナーを分配するゲルフォームクリーナー組成物ディスペンサーの別の態様の斜視図である。
【発明を実施するための形態】
【００１５】
[0015]本開示の好ましい一態様において、精巧な疎水性表面を洗浄するための洗浄組成物及び方法を含む。本開示は、光学表面または電子装置表面を洗浄するための噴霧可能なゲルまたはゲルフォームクリーナーを送達することを含む。このクリーナーは、タッチスクリーン、デジタルディスプレイ、コンピューターモニター、テレビスクリーン、タブレットディスプレイ及び電話ディスプレイなどの特定の光学レンズ並びに電子機器表面上の疎水性表面での使用に特に向いている。特に、疎水性表面は、水や液体が表面と接触するにつれて、水の滴がついて小さな液滴を作り、表面を転がり落ちるように、水及び他の液体をはじく。本開示のゲルまたはゲルフォームクリーナーは、これらの表面を洗浄し、且つこれらの表面上に長時間とどまり、表面と良好に接触するので、表面をよりよく洗浄する。通常、疎水性表面は、40度〜120度の接触角度を包含する。
【００１６】
[0016]本発明の噴霧可能なゲルクリーナーは、一次溶媒としてキャリヤ液体約80％〜約90％、このキャリヤ液体は水、アルコールまたはその混合物でありえる；前記液体キャリヤで使用されるアルコールは、メタノール、エタノール、イソプロピル及びtert-ブチルアルコール及びその混合物などの低級アルキルアルコールを包含する；非イオン、アニオン、両性及び両性イオン界面活性剤から選択される界面活性剤、並びにその混合物約0.002％〜約10％；水溶性高分子増粘剤約0.005％〜約5％；及びpH平衡剤約0.001％〜約0.5％、及び場合により少量の芳香剤及び/または着色剤(color)を混合することにより製造する。好ましい態様では、噴霧可能なゲルクリーナー組成物は完全に透明であり、且つ標準温度及び標準圧力で約4,000cP〜約8,000cPの粘度範囲を有する。
【００１７】
[0017]図２により示されているように、ゲルクリーナー組成物110は、使用するためのスプレーボトル100などのディスペンサーのリザーバ130に充填することができる。光学レンズ120または電子機器表面を洗浄するために、ゲルクリーナー110はスプレー(sprayer)150を押すことによって表面120上に噴霧され、ゲル110がノズル140を通って分配される。ゲルクリーナー110は適用パターンで表面上に適用され、液体クリーナーよりもレンズ120または電子装置の表面により長く粘着し、且つとどまるように適応している。
【００１８】
[0018]図３により示されているように、ゲルフォームクリーナー組成物160は、使用するためのフォームポンプ180などのディスペンサーのリザーバ170に充填することができる。光学レンズ190または電子機器表面を洗浄するために、ゲルフォームクリーナー160はポンプヘッド200を押すことによって表面190上に分配され、ゲルフォーム160がノズル210を通って分配される。ゲルフォームクリーナー160は適用パターンで表面上に適用され、液体クリーナーよりもレンズ190または電子装置の表面により長く粘着し、とどまるように適応している。
【００１９】
[0019]柔らかい布またはティッシュペーパーを用いて、ゲルクリーナーは、分配パターンで光学レンズ表面または電子装置表面に分配されて、表面の所望の部分に沿って実質的に接触させる。分配パターンは、表面の全表面であるか、または単に小さな区域でありえる。一態様において、柔軟な、傷防止材料を使用して、疎水性表面の所望の部分に沿って組成物を分散する。柔軟な、傷防止材料は、当業界で公知のリントフリーティッシュペーパー、柔らかい布またはマイクロファイバー布でありえる。柔軟な、傷防止材料は、表面が清浄で、且つ全く縞状の跡がなくなるまで、表面からゲルクリーナーとすべての汚染物質を除去するのにも使用することができる。
【００２０】
[0020]ゲルまたはゲルフォームクリーナーは、液体型のクリーナーがするように、表面から滴ったりも流れ落ちたりもしない高粘度を包含する。これは表面と良好な接触をするので、表面を引っ掻く危険性なしによりきれいに洗浄する。特に、本明細書中で使用するように「実質的に均質」なる用語は、肉眼レベル、即ち、ヒト裸眼により検出可能なスケールで実質的に均質材料であることを意味するのが望ましい。
【００２１】
[0021]従って、本発明の一つの目的は、懸濁した被包性粒子を全く含まない、様々な実質的に均質ゲル及びゲルフォームクリーナー組成物を提供することである。本組成物は、様々な粘度を包含し、圧力作動スプレー、トリガー型ハンドスプレー、フォームポンプまたは押し潰し可能なチューブなどの慣用のディスペンサーを使用して直ちに分配するのに適している。意図されたフォームポンプディスペンサーは、エアゾールとノンエアゾール型ディスペンサーの両方を包含する。
【００２２】
[0022]一態様において、ゲルクリーナー組成物は、非イオン、イオン、両性及び両性イオン界面活性剤から選択される界面活性剤並びにこれらの混合物を含む、キャリヤ液体を包含することができる。本組成物はさらに、水溶性高分子増粘剤と、一定量のpH平衡剤を含むことができる。ゲルまたはゲルフォームクリーナー組成物は、約200cP〜約30,000cPの粘度範囲を有しえる。態様によっては、ゲルまたはゲルフォームクリーナー組成物は、約2,000cP〜約20,000cP、好ましくは約4,000cP〜約15,000cP、最も好ましくは約5,600cP〜約10,000cPの粘度範囲を有する。これらの粘度範囲は、室温及び室圧で意図される。
【００２３】
[0023]ゲルクリーナー組成物の上記態様はさらに、水中に油ベースの粒子を溶解するための一つの追加の少量の低沸点溶媒を含むことができる。この低沸点溶媒は、メタノール、エタノール、イソプロピル及びtert-ブチルアルコールなどの低級アルキルアルコールでありえる。
【００２４】
[0024]さらに、場合により他の添加剤、たとえば静電気防止剤、防曇剤、芳香剤または着色剤を含みえる追加の態様を意図することができる。
[0025]別の開示では、ゲルまたはゲルフォームクリーナー組成物は、キャリヤ液体約70％〜約99％；非イオン、アニオン、両性及び両性イオン界面活性剤から選択される界面活性剤、並びにその混合物約0.002％〜約10％；水溶性高分子増粘剤約0.005％〜約5％；及びpH平衡剤約0.001％〜約1.0％、並びに場合により少量の芳香剤及びまたは着色剤を含むことができる。本発明において、ゲルクリーナー組成物は、約200cP〜約30,000cPの粘度を有し、簡単なスプレーボトルに収納することができる。さらに、噴霧可能なゲルクリーナー組成物は、室温及び室圧で、長時間、実質的に表面に粘着し、且つとどまる。物品の表面を洗浄するためには、ゲルクリーナー組成物は、簡単なフィンガースプレーまたはトリガースプレーを使用して噴霧または適用される。ゲルクリーナー組成物は、分配パターンで、布巾(wiping cloth)または柔らかいティッシュペーパー若しくはマイクロファイバー布を使用して表面の所望の部分に沿って分配される。ゲルまたはゲルフォームクリーナー組成物は、不都合な微粒子状物質を全て除去する雑巾またはティッシュペーパーまたはマイクロファイバー布を使用して表面から除去され、完全に清浄な表面が残る。
【００２５】
[0026]本発明のゲルクリーナー組成物は、静電気防止剤約0.01%〜約5％及びまたは、これに添加された防曇剤約0.1％〜約10％も含むことができる。表面にゲルクリーナー組成物を適用し、続いて組成物を分配し、表面から組成物を除去すると、表面には帯電防止及びまたは防曇特性をもつ清浄な表面が残る。従って、本発明に従って、疎水性レンズ及び電子機器表面などの精巧な表面を洗浄するための新規な、実質的に均質且つ高粘度のゲルまたはゲルフォームクリーナーを開示する。高粘度ゲルクリーナー組成物は、滴り落ちない、高い粘着時間、及び表面上でより長い滞留時間のために配合することができる。さらに、(低粘度の液体スプレークリーナーと比較して)洗浄すべき光学レンズまたは電子機器表面上に噴霧すると、組成物中に懸濁した不溶性粒子を全く含まず、組成物中にアンモニアもグリコールエーテル溶媒も含まず、且つ長い粘着及び滞留時間を有する、安全且つ均質な噴霧可能なゲルクリーナー組成物を開示した。上記のように、本発明の噴霧可能なゲルクリーナー組成物は、様々な粘度を有しえ、簡単な噴霧アプリケーターにより分配しえる。噴霧可能なゲルクリーナー組成物は、水溶性着色剤約0.001％〜約0.1％を有する純水または水と低級アルキルアルコールとの混合物である液体キャリヤも包含しえる。他の添加剤としては、静電防止剤、防曇剤及び芳香剤を包含しえる。
【００２６】
[0027]液体クリーナーと比較して、ゲル及びゲルフォーム組成物が選択された疎水性表面に沿って所定の距離を進むのにかかった時間の証拠として、幾つかの実験を実施した。第一の実験では、ゲルクリーナー、ゲルフォームクリーナー及び一般の液体クリーナーを、タブレットディスプレイ、プッシュボタンスマートフォン、タッチスクリーンスマートフォン、及びコンピューターモニターなどの幾つかの一般的なタイプの電子装置に適用した。通常、これらの装置上の疎水性表面の水接触角は約60〜90度である。これらの装置はそれぞれ、地面から45度〜90度の間の角度をもつ斜めの方向(angled orientation)で設置して、斜めになった疎水性表面に適用したクリーナーを流れ落とした。記録したそれぞれの事象につき、ユーザーは表面から約２インチ離れてディスペンサーでクリーナーを適用した。ゲルフォームクリーナーの場合には、フォームポンプディスペンサーで表面に非常に近づけて送達した。クリーナーはそれぞれ、クリーナーの最下部(bottom portion)が適用パターンから2.5インチ流れ落ちるまで、適用地点から測定した。それぞれの場合において三(3)回の測定値の平均の結果を表１に列記する。
【００２７】
【表１】
2014527558.tif 000003
【００２８】
[0028]さらに、第二の実験では、ゲルクリーナー、ゲルフォームクリーナー及び一般の液体クリーナーを、幾つかの一般的なブランドの反射防止レンズに適用した。通常、反射防止性疎水性レンズなどの基板の接触角は、約90〜115度である。8種類の異なるブランドのレンズを試験したが、それぞれの表面は、6つの底部曲率(base curvature)の70mm丸レンズ型を含んでいた。レンズは、地面から45〜90度に角度をつけて、斜めの表面を提供して、それぞれその上でクリーナーを移動させた。記録したそれぞれの事象につき、液体及びゲルクリーナーは、表面から約２インチ離れてそれぞれのレンズの頂上に適用パターンに、スプレーディスペンサーで適用した。ゲルフォームクリーナーの場合には、フォームポンプを使用して表面に適用した。クリーナーはそれぞれ、クリーナーの最下部が適用パターンから2インチ流れ落ちるまで、適用地点から測定した。それぞれの場合において三(3)回の測定値の平均の結果を表２に列記する。
【００２９】
【表２】
2014527558.tif 000004
【００３０】
[0029]最後に、第三の実験では、ゲルクリーナー、ゲルフォームクリーナー及び一般の液体クリーナーを、幾つかの一般的な型の非反射防止レンズ、6つの底部曲率の70mm丸レンズ型に適用した。通常、非反射防止レンズは、約40〜50度の水接触角を有する。表面はそれぞれ、地面から45〜90度に角度をつけて、斜めの表面を提供して、それぞれその上でクリーナーを移動させた。記録したそれぞれの事象につき、液体及びゲルクリーナーは、表面から約２インチ離れてそれぞれのレンズの頂上に適用パターンに、スプレーディスペンサーで適用した。ゲルフォームクリーナーの場合には、フォームポンプを使用して表面に近づけて適用した。クリーナーはそれぞれ、クリーナーの最下部が適用パターンから2インチ流れ落ちるまで、適用地点から測定した。それぞれの場合において三(3)回の測定値の平均の結果を表３に列記する。
【００３１】
【表３】
2014527558.tif 000005
【００３２】
[0030]試験した疎水性表面のそれぞれに関してゲル及びゲルフォームクリーナーと比較して、液体クリーナーは早い走行時間(run time)であったことが理解できる。特に、液体クリーナーが2インチの距離と2.5インチの距離の両方を移動する一般的な滞留時間は、最大１秒であった。しかし、ゲル及びゲルフォームクリーナーは、実質的に異なり、疎水性表面に沿って非常にゆっくりした平均速度であった。
【００３３】
[0031]ゲル及びゲルフォーム洗浄組成物は、液体クリーナーよりも実質的に相対的に長い時間をかけて、疎水性表面のそれぞれの上に粘着し、且つとどまる。ゲル組成物は、20秒〜180秒の速度で、ある距離を滴り、滴がつくか流れ落ちることが示され、これは低粘度液体組成物が同じ距離を滴り、滴がつくか流れ落ちるのよりもずっと遅かった。
【００３４】
[0032]これらの実験から、ゲル及びゲルフォーム組成物は、前記組成物が同等の距離を滴り、滴がつくか流れ落ちるのに、低粘度液体組成物が疎水性表面上の同一距離を流れおちるのにかかる速度よりも少なくとも二十(20)倍遅い速度であるように、疎水性表面上に粘着し、且つとどまることが明らかになる。
【００３５】
[0033]疎水性表面に関して液体クリーナーとゲルまたはゲルフォームクリーナーとの間の洗浄性能の差を比較するために、本発明の三つ全てのクリーナーを、コルトラボラトリーズ(フロリダ、合衆国)で、「脂性洗浄(Oily Cleaning)」、試験法No.SOP＃23-10-03と呼ばれるその規格化及び認証された表面洗浄試験法を使用して試験した。試験手順及びデータ計測は該試験法で十分に説明されており、これに関する一般的な情報のみ本明細書中で記載する。レンズクリーナーの性能は、反射防止性疎水性レンズの表面に公知量のWD-40油を置き、これをレンズ表面に塗りつけて表面を油だらけにして汚すことにより測定する。レンズは、BYK Gardner Haze-Gard Plus装置のピボットアーム上に水平に保持して、レンズの凸側を上に保持する。次いで公知量の液体レンズクリーナーをスプレーボトル(完全に一回押す)により汚いレンズ表面に適用する。次いでレンズ表面を、装置の動いている垂直アームに付けた既知の柔らかい布でこする。移動アームは既知の重りを積荷して、レンズ表面上に既知または一定の摩擦力(rubbing pressure)を適用する。試験レンズに存在する曇りは、実験前に曇度測定装置”ヘイズメーター(Haze Meter)”により測定し、参照として使用する。次いで曇度測定値は、油だらけのレンズ上で布を20回、40回及び60回こすった後に測定し、液体クリーナー洗浄性能に関して「デルタヘイズゲイン(Delta Haze Gain)」数を測定する。最小4枚のレンズを液体クリーナーの洗浄性能に関して試験し、四つのレンズのデルタヘイズゲイン数の平均を測定する。この数は「平均ヘイズゲイン」数として表す。次いで、新しいセットの四枚のレンズと噴霧可能なゲルクリーナーを使用して上記実験を繰り返し、この新しいセットのレンズに、ゲルスプレーとしてスプレーボトルにより適用し、ゲルクリーナーの洗浄性能に関して「平均ヘイズゲイン」数を測定した。最後に第三のセットの四枚のレンズをゲルフォームクリーナーを使用して試験し、ゲルフォームはレンズにフォームポンプにより適用した。再び、ゲルフォームクリーナーの洗浄性能に関して「平均ヘイズゲイン」数を測定した。三つのクリーナーの全体の洗浄効率は、参照ヘイズ数と様々な「平均ヘイズゲイン」数とを比較することにより決定した。使用した試験法に従って、「平均ヘイズゲイン」数が低ければ低いほど、より効率的な洗浄または性能を表す。この結果を表４に示すが、この結果は、試験したすべての三種類のクリーナーに関する「平均ヘイズゲイン」数を示す。
【００３６】
【表４】
2014527558.tif 000006
【００３７】
[0034]従って、液体スプレークリーナー、噴霧可能なゲルクリーナー及びゲルフォームクリーナーに関する疎水性表面洗浄性能試験データを比較した。液体レンズクリーナーの場合には、「平均ヘイズゲイン」数は0.53であることが判明した。比較により、ゲルクリーナー法は、0.07の「平均ヘイズゲイン」数を与え、ゲルフォームクリーナー法は0.00の「平均ヘイズゲイン」数を与えた。この実験により、疎水性表面を洗浄するのに液体レンズクリーナーを使用すると表面上の残渣として測定可能な曇りが残るが、ゲルクリーナーまたはゲルフォームクリーナーを使用すると、曇りの残渣をゼロまで完全に減らすことが極めて明確である。このデータは、ゲルまたはゲルフォームクリーナーが、疎水性表面の安全且つ優れた洗浄法であることを示す。
【００３８】
[0035]好ましい態様を参照して例示的な態様を記載した。明らかに、先の詳細な記載を読み、理解すると、変形及び変更ができよう。例示的な態様は、これらの態様が付記請求の範囲またはその等価物の範囲である限り、かかるすべての変形を含むものとする。
【図１】
2014527558.tif 000007
【図２】
2014527558.tif 000008
【図３】
2014527558.tif 000009
【国際調査報告】
2014527558.tif 000010
2014527558.tif 000011
2014527558.tif 000012
2014527558.tif 000013